(57)【特許請求の範囲】
【請求項１】
通水路の中途部に接続され、上流側からの通水を許容すると共に、下流側からの通水を阻止する逆止弁システムであって、
上流側へ接続される上流側の通路と、下流側へ接続される下流側の通路と、前記両通路の中間であって、通水路の接続方向に交差する方向へ迂回してから戻るように曲げられた通路のスペースであると共に、該接続方向に交差する方向へ変位作動する逆止弁体を有する逆止弁カートリッジが該接続方向に交差する方向へ着脱可能に収納されるように開口されたスペースであるカートリッジ収納スペースとが設けられた通路本体を備え、
前記逆止弁カートリッジが、前記逆止弁体と、前記通路本体の前記上流側の通路と前記カートリッジ収納スペースとを連通する連通口に、一端部の外部が水密シール可能に設けられ、該一端部の内部に前記逆止弁体が当接して水密シールされる弁座が設けられると共に、側周壁に連通孔が設けられた筒状弁体と、該筒状弁体の他端を塞ぐように設けられた筒状弁体用蓋体とを備え、
前記筒状弁体を備える前記逆止弁カートリッジを一端の側である前記通路本体の奥へ変位させた場合には、前記筒状弁体が前記連通口に水密シールされて前記逆止弁体の逆止機能が作動できる状態になり、前記逆止弁カートリッジを他端の側である前記通路本体の外方へ変位させた場合には、前記筒状弁体の前記連通口への水密シールが解除されて前記逆止弁体の逆止機能を解除するように、前記逆止弁カートリッジを、前記逆止弁体の作動方向に変位可能に外嵌して水密シールする状態に保持し、前記カートリッジ収納スペースの開口縁部に水密シールされて装着されることで、該逆止弁カートリッジを該カートリッジ収納スペース内に取り付けるカートリッジ取付用蓋体を備えることを特徴とする逆止弁システム。
【請求項２】
前記接続方向が水平方向であり、前記接続方向に交差する方向が上下方向であって、逆止弁カートリッジを上方へ脱着できるように、カートリッジ収納スペースが上方へ開口していることを特徴とする請求項１記載の逆止弁システム。
【請求項３】
前記逆止弁体を、前記筒状弁体の前記弁座へ所要の圧力で付勢するように、該逆止弁体と前記筒状弁体用蓋体との間にコイルスプリングが配されていることを特徴とする請求項１又は２記載の逆止弁システム。
【請求項４】
前記逆止弁体が、自重によって、前記筒状弁体の前記弁座へ当接されるように、上下動可能に設けられていることを特徴とする請求項２記載の逆止弁システム。
【請求項５】
前記筒状弁体用蓋体の他端側外方へ延びるように設けられた雄ネジ延設部が、前記カートリッジ取付用蓋体の蓋端面部に設けられた雌ネジ装着部に螺合されていることで、前記逆止弁カートリッジが前記逆止弁体の作動方向へ変位可能に構成されていることを特徴とする請求項１〜４のいずれかに記載の逆止弁システム。
【請求項６】
ベース部材に装着された量水器と該量水器の上流及び下流に接続される通水接続機器とから構成される量水器の接続装置に係る一つの前記通水接続機器として用いられることを特徴とする請求項１〜５のいずれかに記載の逆止弁システム。
【請求項７】
前記量水器の下流側に接続されることを特徴とする請求項６記載の逆止弁システム。
【発明の詳細な説明】
【技術分野】
【０００１】
本発明は、通水路の中途部に接続され、上流側からの通水を許容すると共に、下流側からの通水を阻止する逆止弁システムに関する。
【背景技術】
【０００２】
従来の逆止弁システムとしては、一次側に設けられた入水口及び二次側に設けられた出水口を有し、前記入水口及び出水口間に流路を有し、且つ前記流路間に開口部を有する弁本体と、前記弁本体内に配置され、前記流路を遮断する逆止弁カートリッジとを具備し、前記逆止弁カートリッジは、シートと、当該シートに先端部が固定されたカートリッジ本体と、当該カートリッジ本体内に収納されたスプリングと、前記カートリッジ本体内に配置され前記スプリングに付勢されて前記シートに当接するディスクと、前記カートリッジ本体の前記先端部と対向する側と嵌着した蓋とから構成され、前記蓋は軸線が前記入水口及び出水口間の水平軸線に対して前記二次側に傾斜するように、前記開口部内の係止部に固定され、前記弁本体は少なくとも前記一次側もしくは二次側のいずれか一方もしくは双方に複数のユニバーサル穴を有し、前記ディスク又は前記カートリッジ本体には側面にディスク軸線又はカートリッジ本体軸線に沿って前記スプリングを収納する空間の水を前記流路に誘導するガイドを一つ以上設けたことを特徴とする逆止弁（特許文献１参照）が、本出願人によって提案されている。
【０００３】
このような逆止弁システムは、量水器の接続装置の一構成要素として好適に用いることができる。従来の量水器の接続装置としては、連結パイプと、前記連結パイプの両側に設けられた１対の接続部とを具備し、前記１対の接続部は、それぞれ前記連結パイプが取り付けられた連結部と接続体部とからなり、前記１対の接続部の接続体部は、一方の接続体部が両端に水道管接続部及び量水器接続部を有し、他方の接続体部が両端に凸状継手接続部及び量水器接続部を有し、前記他方の接続体部の前記量水器接続部は、量水器の一端を保持するスリーブ及び前記スリーブを駆動するスクリューハンドルを有し、前記連結パイプは、前記１対の接続部間の間隔を一定に保つものであり、前記他方の接続体部としては、一端に水道管接続部、他端に開口部を有し、前記他端の開口部は凸状継手接続部が嵌合される筒状であって、その内周面に保持されたサポートリング及び外部周辺部に一定の角度間隔をもって筒状と同心の円上を中心点とする複数の角度規制穴を有するエルボ本体と、一端に前記凸状継手接続部、他端に他部材接続部を有し、前記凸状継手接続部の一端側嵌合部は前記エルボ本体開口部に嵌合する円筒状であって、その外周面一端側に一端側溝壁が略垂直、他端側溝壁が傾斜で構成された第１溝及び他端側に両端溝壁が略垂直で構成された第２溝が設けられ、前記凸状継手接続部の他端側には、前記凸状継手接続部の同心円上に、前記角度規制穴に対向配置された角度規制突起を有する接続体とを具備してなる管継手で構成されているもの（特許文献２参照）が、本出願人によって提案されている。
【０００４】
上記の従来の逆止弁システムでは、逆止機能部がカートリッジ化されて品質が安定した逆止弁カートリッジを用いることができ、量水器の接続装置の一構成要素として用いるような場合であって、長期間の使用によって、その逆止弁カートリッジの交換を必要とする場合などにおいて、適切且つ容易に交換し易い利点がある。また、ユニバーサル穴を用いることによって、配管の分岐、統合、機能検査、各種機器の接続等が容易にできる。例えば、ユニバーサル穴を適宜に開口することによれば、通水管内の圧力を調整することで機能検査を適切に行うことや、通水管内の水抜きをできるなどの利点がある。しかしながら、この従来のユニバーサル穴を有する逆止弁システムは、逆止弁機能を解除して通水路を連通できるものではなかった。
【先行技術文献】
【特許文献】
【０００５】
【特許文献１】特許第４５０４４１１号公報（請求項１、図５）
【特許文献２】特許第３８５２６１１号公報（請求項１及び２、図１）
【発明の概要】
【発明が解決しようとする課題】
【０００６】
逆止弁システムに関して解決しようとする課題は、上記の従来の逆止弁システムでは、ユニバーサル穴を封止しているネジを外して直接的に通水管内の圧力調整や水抜きを行う場合はその場での水の排出による濡れ被害が生じ、ユニバーサル穴に継手を介して他の機器を取り付ける場合は装置形態がコンパクト化できないことにある。
そこで、本発明の目的は、通水管内の圧力調整をして機能検査を行うことや、通水管内の水抜きを行うことを、濡れ被害となるような排水を伴わないで合理的な形態で行うことができる逆止弁システムを提供することにある。
【課題を解決するための手段】
【０００７】
本発明は上記目的を達成するために次の構成を備える。
本発明に係る逆止弁システムの一形態によれば、通水路の中途部に接続され、上流側からの通水を許容すると共に、下流側からの通水を阻止する逆止弁システムであって、上流側へ接続される上流側の通路と、下流側へ接続される下流側の通路と、前記両通路の中間であって、通水路の接続方向に交差する方向へ迂回してから戻るように曲げられた通路のスペースであると共に、該接続方向に交差する方向へ変位作動する逆止弁体を有する逆止弁カートリッジが該接続方向に交差する方向へ着脱可能に収納されるように開口されたスペースであるカートリッジ収納スペースとが設けられた通路本体を備え、前記逆止弁カートリッジが、前記逆止弁体と、前記通路本体の前記上流側の通路と前記カートリッジ収納スペースとを連通する連通口に、一端部の外部が水密シール可能に設けられ、該一端部の内部に前記逆止弁体が当接して水密シールされる弁座が設けられると共に、側周壁に連通孔が設けられた筒状弁体と、該筒状弁体の他端を塞ぐように設けられた筒状弁体用蓋体とを備え、前記筒状弁体を備える前記逆止弁カートリッジを一端の側である前記通路本体の奥へ変位させた場合には、前記筒状弁体が前記連通口に水密シールされて前記逆止弁体の逆止機能が作動できる状態になり、前記逆止弁カートリッジを他端の側である前記通路本体の外方へ変位させた場合には、前記筒状弁体の前記連通口への水密シールが解除されて前記逆止弁体の逆止機能を解除するように、前記逆止弁カートリッジを、前記逆止弁体の作動方向に変位可能に外嵌して水密シールする状態に保持し、前記カートリッジ収納スペースの開口縁部に水密シールされて装着されることで、該逆止弁カートリッジを該カートリッジ収納スペース内に取り付けるカートリッジ取付用蓋体を備える。
【０００８】
また、本発明に係る逆止弁システムの一形態によれば、前記接続方向が水平方向であり、前記接続方向に交差する方向が上下方向であって、逆止弁カートリッジを上方へ脱着できるように、カートリッジ収納スペースが上方へ開口していることを特徴とすることができる。
【０００９】
また、本発明に係る逆止弁システムの一形態によれば、前記逆止弁体を、前記筒状弁体の前記弁座へ所要の圧力で付勢するように、該逆止弁体と前記筒状弁体用蓋体との間にコイルスプリングが配されていることを特徴とすることができる。
【００１０】
また、本発明に係る逆止弁システムの一形態によれば、前記逆止弁体が、自重によって、前記筒状弁体の前記弁座へ当接されるように、上下動可能に設けられていることを特徴とすることができる。
【００１１】
また、本発明に係る逆止弁システムの一形態によれば、前記筒状弁体用蓋体の他端側外方へ延びるように設けられた雄ネジ延設部が、前記カートリッジ取付用蓋体の蓋端面部に設けられた雌ネジ装着部に螺合されていることで、前記逆止弁カートリッジが前記逆止弁体の作動方向へ変位可能に構成されていることを特徴とすることができる。
【００１２】
また、本発明に係る逆止弁システムの一形態によれば、ベース部材に装着された量水器と該量水器の上流及び下流に接続される通水接続機器とから構成される量水器の接続装置に係る一つの前記通水接続機器として用いられることを特徴とすることができる。
【００１３】
また、本発明に係る逆止弁システムの一形態によれば、前記量水器の下流側に接続されることを特徴とすることができる。
【発明の効果】
【００１４】
本発明に係る逆止弁システムによれば、通水管内の圧力調整をして機能検査を行うことや、通水管内の水抜きを行うことを、濡れ被害となるような排水を伴わないで合理的な形態で行うことができるという特別有利な効果を奏する。
【図面の簡単な説明】
【００１５】
【図１】本発明に係る逆止弁システムの形態例を示す断面図である。
【図２】図１の形態例のキャップを外した状態を示す断面図である。
【図３】図１の形態例の逆止弁機能を解除した状態を示す断面図である。
【図４】図１の形態例の逆止弁カートリッジを取り外した状態を示す断面図である。
【図５】本発明に係る逆止弁システムの他の形態例を示す断面図である。
【発明を実施するための形態】
【００１６】
以下、本発明に係る逆止弁システムの形態例を、添付図面（図１〜５）と共に詳細に説明する。本発明に係る逆止弁システムは、通水路の中途部に接続され、上流側からの通水を許容すると共に、下流側からの通水を阻止できる逆止弁機能を有すると共に、その逆止弁機能を解除できる機能を有するものである。
【００１７】
１０は通路本体であり、上流側へ接続される上流側の通路１１と、下流側へ接続される下流側の通路１２と、両通路１１、１２の中間であって、通水路の接続方向に交差する方向へ迂回してから戻るように曲げられた通路のスペースであると共に、その接続方向に交差する方向へ変位作動する逆止弁体２１を有する逆止弁カートリッジ２０がその接続方向に交差する方向へ着脱可能に収納されるように開口されたスペースであるカートリッジ収納スペース１５とが設けられている。
【００１８】
また、本形態例では、通水路の接続方向が水平方向であり、その接続方向に交差する方向が上下方向であって、逆止弁カートリッジ２０を上方へ脱着できるように、カートリッジ収納スペース１５が上方へ開口している。さらに、本形態例の接続方向に交差する方向の上下方向は、水平方向に直交する方向になっている。しかしながら、本発明に係る逆止弁システムの通路本体１０は、これに限定されるものではない。つまり、本形態例のような通水路の接続方向（水平方向）に限定されるものではなく、他のあらゆる方向についても本発明に係る逆止弁システムは適用できる。また、通水路の接続方向に交差する方向についても、本形態例のような通水路の接続方向に直交する方向に限定されるものではなく、通水路の接続方向に傾斜する方向であってもよいのは勿論である。すなわち、逆止弁カートリッジ２０を、通水路の外部から着脱できることや、通水路の外部から調整操作できるように、通水路の接続方向とは異なる方向に開口するカートリッジ収納スペース１５を設けることができるように、交差して設けられていればよい。
【００１９】
また、本形態例の通路本体１０では、仕切壁部１４によって、水平方向の上流側の通路１１を直角に上方向へ曲げるように構成されており、この仕切壁部１４によって上流側の通路１１とカートリッジ収納スペース１５とを連通する連通口１３が合理的に形成される形態となっている。そして、その連通口１３よりも下流のカートリッジ収納スペース１５から戻り通路１７を介して出水口１２ａへ連通するように、下流側の通路１２が構成されている。これによれば、逆止弁システムを構成するためのカートリッジ収納スペース１５を、合理的且つコンパクトに構成できる。
【００２０】
さらに、本形態例の通路本体１０では、上流側の通路１１の接続部である入水口１１ａが、上流側接続用ネジ管部１１ｂによって構成されているが、本発明に係る逆止弁システムの通路本体１０は、これに限定されるものではなく、他の接続構成を採用できるのは勿論である。例えば、前述した特許文献２に係る接続構成を用いてもよい。さらに、同様に、下流側の通路１２の接続部である出水口１２ａが、下流側接続用ネジ管部１２ｂによって構成されているが、本発明に係る逆止弁システムの通路本体１０は、これに限定されるものではなく、他の接続構成を採用できるのは勿論である。例えば、前述した特許文献２に係る接続構成を用いてもよい。
【００２１】
また、本発明に係る逆止弁システムでは、逆止弁カートリッジ２０が、逆止弁体２１と、通路本体１０の上流側の通路１１とカートリッジ収納スペース１５とを連通する連通口１３に、一端部３１の外部が水密シール可能に設けられ、その一端部３１の内部に逆止弁体２１が当接して水密シールされる弁座３２が設けられると共に、側周壁に連通孔３３が設けられた筒状弁体３０と、その筒状弁体３０の他端を塞ぐように設けられた筒状弁体用蓋体４０を備えている。なお、本形態例の筒状弁体用蓋体４０は、Ｏ‐リング４２を介して水密シールした状態に、筒状弁体３０の他端に螺合して塞いだ状態に配されている。
【００２２】
本形態例に係る筒状弁体３０の一端部３１の外部が水密シールをする形態は、筒状弁体３０の一端部３１が連通口１３内に挿入されるように下側へ移動・変位し、筒状弁体３０に外嵌めされたＯ‐リング３４が、連通口１３の内周面に摺接して水密シールする形態となっている。なお、本発明に係る筒状弁体３０の一端部３１の外部が水密シールをする形態はこれに限定されず、例えば、平面にシール部材が当接する形態であってもよい。
【００２３】
また、本形態例の逆止弁体２１は、筒状弁体３０内で弁座３２に対して軸線方向に接離できるように、その筒状弁体３０内に収納された状態に配され、その逆止弁体２１に外嵌めされたＯ‐リング２２が、弁座３２に当接することで水密シールがなされ、逆止弁機能が作動する形態になっている。すなわち、戻り通路１７を含む下流側の通路１２から連通孔３３を介して筒状弁体３０内に満たされた水が、逆止弁体２１によって水密シールされることで、逆流を防止することができる。そして、図１〜４に示した形態例では、逆止弁体２１を、筒状弁体３０の弁座３２へ所要の圧力で付勢するように、その逆止弁体２１と筒状弁体用蓋体４０との間にコイルスプリング３５が配されている。さらに詳細には、コイルスプリング３５が、逆止弁体２１のコイルスプリング装着部２３と、筒状弁体用蓋体４０のコイルスプリング受部４４との間に配されることで、適切に位置され、逆止弁体２１を弁座３２へ所要の圧力で付勢できる構成になっている。
【００２４】
そして、本発明に係る逆止弁システムでは、筒状弁体３０を備える逆止弁カートリッジ２０を一端の側へ変位させた場合には、筒状弁体３０が連通口１３に水密シールされて逆止弁体２１の逆止機能が作動できる状態になり、逆止弁カートリッジ２０を他端の側へ変位させた場合には、筒状弁体３０の連通口１３への水密シールが解除されて逆止弁体２１の逆止機能を解除するように、逆止弁カートリッジ２０を、逆止弁体２１の作動方向に変位可能に外嵌して水密シールする状態に保持し、カートリッジ収納スペース１５の開口縁部１６に水密シールされて装着されることで、その逆止弁カートリッジ２０をそのカートリッジ収納スペース１５内に取り付けるカートリッジ取付用蓋体５０を備える。
【００２５】
また、本形態例では、筒状弁体用蓋体４０の他端側外方へ延びるように設けられた雄ネジ延設部４１が、カートリッジ取付用蓋体５０の蓋端面部に設けられた雌ネジ装着部５１に螺合されていることで、逆止弁カートリッジ２０が逆止弁体２１の作動方向へ変位可能に構成されている。なお、本発明に係る逆止弁システムでは、本形態例に限定されるものではなく、他の移動変位構造によって、逆止弁カートリッジ２０をカートリッジ収納スペース１５内で変位させるように構成してもよいのは勿論である。また、この逆止弁体２１の作動方向とは、逆止弁カートリッジ２０が通路本体１０に装着される際のその装着方向であって、その逆止弁カートリッジ２０（逆止弁体２１、筒状弁体３０や筒状弁体用蓋体４０）の軸心方向であり、前記接続方向に交差する方向と一致する方向でもある。
【００２６】
本形態例の雄ネジ延設部４１には、先端部に操作用溝部４５が設けられており、マイナスドライバーやコインなど利用してネジを回すことで、逆止弁カートリッジ２０に係るカートリッジ収納スペース１５内での位置調整を適切且つ容易に行うことができる。また、この雄ネジ延設部４１には、先端側にＣ‐リング４６が嵌められている。このＣ‐リング４６によれば、逆止弁カートリッジ２０が、カートリッジ取付用蓋体５０に対して、所要の変位範囲外へ変位することや離脱することを防止することができる。なお、４３はワッシャであり、逆止弁カートリッジ２０の変位範囲を調整できると共に、当接部を保護できる。
【００２７】
さらに、本形態例のカートリッジ取付用蓋体５０による通路本体１０の開口縁部１６に対する装着及び水密シール構造は、装着用ネジ部５２、Ｏ‐リング５３及びスペーサ５４によって構成されている。本形態例では、開口縁部１６に設けられた雌ネジ部に装着用ネジ部５２が螺合することで装着され、Ｏ‐リング５３によって水密シールがなされている。そして、スペーサ５４によって、カートリッジ取付用蓋体５０のねじ込み幅を調整できると共に当接部を保護できる。また、カートリッジ取付用蓋体５０の内周面に嵌められたＯ‐リング５５は、逆止弁カートリッジ２０を構成する筒状弁体３０の連通孔３３よりも上側の外周面に摺接して逆止弁カートリッジ２０を外側で水密シールできる構造になっている。
【００２８】
また、６０はキャップであり、カートリッジ取付用蓋体５０の雌ネジ装着部５１が設けられた延設部に螺合し、その雌ネジ装着部５１と雄ネジ延設部４１との端部を覆って保護できるように装着されている。これによれば、図２に示すように、このキャップ６０を外して、雄ネジ延設部４１の操作用溝部４５を用いることで、逆止弁カートリッジ２０に係るカートリッジ収納スペース１５内での位置調整を適切且つ容易に行うことができる。すなわち、逆止弁カートリッジ２０をカートリッジ収納スペース１５の奥へ移動・変位させることで、逆止弁体２１の逆止機能が作動できるように、筒状弁体３０の一端部３１の外部が連通口１３に水密シールできる。そして、図３に示すように、逆止弁カートリッジ２０をカートリッジ収納スペース１５の他端側（本形態例では上側）へ移動・変位させることで、Ｏ‐リング３４が連通口１３の内周面から離れて水密シールが解除されることで逆止機能を解除し、上流側の通路１１と下流側の通路１２とを連通させることができる。
【００２９】
この本発明に係る逆止弁システムによれば、簡単な操作で逆止弁体２１の逆止機能を的確に解除できるため、通水管内の圧力調整をして機能検査を行うことや、通水管内の水抜きを行うことを、濡れ被害となるようなその場での排水を伴わないで合理的な形態で行うことができる。また、逆止弁体２１の逆止機能を、ネジを緩める操作で、徐々に解除することができるため、下流側に連通された通水管内の圧力調整や水抜きの作業などを、精密に行うことができる。すなわち、本発明に係る逆止弁システムによれば、水密シールされた外部からの操作で、逆止弁体２１の逆止機能を的確に解除できるため、逆止弁体２１を直接的に押して逆止機能を解除する作業の場合のような排水が勢いよく出て周囲を水浸しにしてしまうなどの不都合が生じることを防止できると共に、精密な作業を行うことができる。
【００３０】
また、図４に示すように、カートリッジ取付用蓋体５０を、装着用ネジ部５２と開口縁部１６の装着用雌ネジ部との螺合を解除することで、通路本体１０から脱着することによって、そのカートリッジ取付用蓋体５０に保持されている逆止弁カートリッジ２０を通路本体１０から容易に取り外すことができる。そして、そのカートリッジ取付用蓋体５０に保持されている逆止弁カートリッジ２０については、Ｃ‐リング４６を取り外すことによって、そのカートリッジ取付用蓋体５０から容易に分離することができる。このように、逆止弁カートリッジ２０を容易に着脱できるため、本発明に係る逆止弁システムの保守作業を容易に行うことができる。
【００３１】
次に、本発明に係る逆止弁システムであって、他の形態例の逆止弁体２１Ａを備えるものを、図５に基づいて説明する。
本形態例の逆止弁システムによれば、逆止弁体２１Ａが、自重によって、筒状弁体２０の弁座３２へ当接されるように、上下動可能に設けられている。このような自重式の逆止弁形態によれば、構成を簡易化することができる。なお、本発明に係る自重式の逆止弁体２１Ａの形態は、これに限定されるものではなく、例えば、ボール形状などでもよい。また、図５に示した自重式の逆止弁体２１Ａは、その逆止弁体２１Ａの側にＯ‐リング２２が外嵌されたものであるが、これに限定されるものではなく、弁座３２側にシール部材を配してもよいのは勿論である。
【００３２】
次に、本発明に係る逆止弁システムを利用した量水器の接続装置について説明する。
本発明に係る逆止弁システムによれば、ベース部材に装着された量水器と該量水器の上流及び下流に接続される通水接続機器とから構成される量水器の接続装置に係る一つの前記通水接続機器として用いることができる。また、この本発明に係る逆止弁システムは、その量水器の接続装置において、その量水器の下流側に接続する通水接続機器として用いることができる。なお、この量水器と、その接続装置とは、主に上水道の配管システムに用いられるものであるが、これに限定されるものではなく、他の配管システムにも適用できるのは勿論である。
【００３３】
また、このような量水器の接続装置としては、例えば、前述した特許文献２に係る接続構成のように、連結パイプと、前記連結パイプの両側に設けられた１対の接続部とを具備し、前記１対の接続部は、それぞれ前記連結パイプが取り付けられた連結部と接続体部とからなり、前記１対の接続部の接続体部は、一方の接続体部が両端に水道管接続部及び量水器接続部を有し、他方の接続体部が両端に凸状継手接続部及び量水器接続部を有し、前記他方の接続体部の前記量水器接続部は、量水器の一端を保持するスリーブ及び前記スリーブを駆動するスクリューハンドルを有し、前記連結パイプは、前記１対の接続部間の間隔を一定に保つものとして設けられたものを採用することができる。なお、この構成において、前記連結パイプに替えて、前記連結部が一体化されたベース部材を用いてもよいのは勿論である。
【００３４】
このような量水器の接続装置においては、本発明に係る逆止弁システムを好適に組み込むことができる。これによれば、例えば、水道の配管システムにおける竣工の際に実施される機能検査（耐水圧性能や止水性能の検査）について、上述したように、簡単な操作で逆止弁体２１の逆止機能を的確に解除できるため、水道管内の圧力調整をして機能検査を行うことや、水道管内の水抜きを行うことを、濡れ被害となるようなその場での排水を伴わないで合理的な形態で行うことができるという特別有利な効果を奏することができる。
【００３５】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３６】
１０  通路本体
１１  上流側の通路
１１ａ  入水口
１１ｂ  上流側接続用ネジ部
１２  下流側の通路
１２ａ  出水口
１２ｂ  下流側接続用ネジ部
１３  連通口
１４  仕切壁部
１５  カートリッジ収納スペース
１６  開口縁部
１７  戻り通路
２０  逆止弁カートリッジ
２１  逆止弁体
２１Ａ  逆止弁体
２２  Ｏ‐リング
２３  コイルスプリング装着部
３０  筒状弁体
３１  一端部
３２  弁座
３３  連通孔
３４  Ｏ‐リング
３５  コイルスプリング
４０  筒状弁体用蓋体
４１  雄ネジ延設部
４２  Ｏ‐リング
４３  ワッシャ
４４  コイルスプリング受部
４５  操作用溝部
４６  Ｃ‐リング
５０  カートリッジ取付用蓋体
５１  雌ネジ装着部
５２  装着用ネジ部
５３  Ｏ‐リング
５４  スペーサ
５５  Ｏ‐リング
【要約】
【課題】通水管内の圧力調整をして機能検査を行うことや、通水管内の水抜きを行うことを、適切に合理的な形態で行うことができる逆止弁システムを提供する。
【解決手段】上流側の通路１１と下流側の通路１２との中間であって、通水路の接続方向に交差する方向へ逆止弁カートリッジ２０が収納されるように開口されたカートリッジ収納スペース１５が設けられた通路本体を備え、逆止弁カートリッジ２０が、逆止弁体２１と、カートリッジ収納スペース１５へ連通する連通口１３に一端部の外部が水密シール可能に設けられ、内部に逆止弁体２１が当接される弁座３２が設けられると共に、側周壁に連通孔３３が設けられた筒状弁体３０と、筒状弁体用蓋体４０とを備え、逆止弁カートリッジ２０を、逆止弁体２１の作動方向に変位可能に外嵌する状態に保持し、カートリッジ収納スペース１５の開口縁部１６に装着されるカートリッジ取付用蓋体５０を備える。
【選択図】図１【図１】
0005981629.tif 000002
【図２】
0005981629.tif 000003
【図３】
0005981629.tif 000004
【図４】
0005981629.tif 000005
【図５】
0005981629.tif 000006